(57)【要約】【課題】  矩形枠形のベゼルを２つの部材に分割して製作時の材料ロスを抑えると共に、２つの部材を枠フレームにビス止めする作業を行うことによってそれら２つの部材が矩形枠形に形成されてベゼルが構成されるようにする。【解決手段】  液晶パネル１と、矩形枠形のベゼル２と、枠フレーム３と、バックライト用の線状光源４と、反射シート５と、背面板６とを備える。ベゼル２をＬ字形の２つの部材２５，２６に分割し、それぞれの部材２５，２６の各分割端に、互いに重ね合わされてビス止め片１００を形成する突片１１０，１２０が備わっている。ビス止め片１００を枠フレーム３に止めビス９１でビス止めすることによって２つの部材２５，２６が矩形に枠組みされて枠形矩形のベゼル２を形成している。【選択図】        図１
2006350218.tif 000002
【特許請求の範囲】
【請求項１】
液晶パネルと、この液晶パネルの外周に嵌合される矩形枠形のベゼルと、このベゼルとの間で上記液晶パネルを挟持する枠フレームと、この枠フレームによって囲まれた空間に配備されるバックライト用の線状光源と、この線状光源の光を上記液晶パネルに向けて反射させる反射シートと、上記枠フレームとの間で上記反射シートを挟持する背面板とを備え、上記ベゼルに設けられて外側へ突き出たビス止め片と上記枠フレームとがビス止めされてなる液晶モジュールにおいて、
上記ベゼルを対角方向に位置する２つのコーナ部でＬ字形に形作られた第１及び第２の２つの部材に分割すると共に、それぞれの部材の各分割端に、互いに重ね合わされて上記ビス止め片を形成する突片が備わり、それらの突片に、互いに係合して第１部材と第２部材とを直角に突き合わせ、かつ、それらの突片に開設されているビス挿通孔を位置合わせしている位置決め手段が設けられていると共に、上記第１及び第２の部材のそれぞれのコーナ部に、外側へ突き出た別のビス止め片を追加し、互いに重ね合わされた上記突片によって形成される２箇所の上記ビス止め片を上記枠フレームに止めビスでビス止めすることによって第１及び第２の２つの部材が矩形に枠組みされて枠形矩形の上記ベゼルを形成していると共に、それらの第１及び第２の２つの部材のそれぞれのコーナ部の上記別のビス止め片のそれぞれが、止めビスによって上記枠フレームにビス止めされていることを特徴とする液晶モジュール。
【請求項２】
液晶パネルと、この液晶パネルの外周に嵌合される矩形枠形のベゼルと、このベゼルとの間で上記液晶パネルを挟持する枠フレームと、この枠フレームによって囲まれた空間に配備されるバックライト用の線状光源と、この線状光源の光を上記液晶パネルに向けて反射させる反射シートと、上記枠フレームとの間で上記反射シートを挟持する背面板とを備え、上記ベゼルに設けられて外側へ突き出たビス止め片と上記枠フレームとがビス止めされてなる液晶モジュールにおいて、
上記ベゼルを第１及び第２の２つの部材に分割すると共に、上記ビス止め片が、第１部材と第２部材とのそれぞれに設けられて互いに重ね合わされた突片でなり、それらの重なり状の突片を上記枠フレームにビス止めすることによって第１及び第２の２つの部材が矩形に枠組みされて枠形矩形の上記ベゼルを形成していることを特徴とする液晶モジュール。
【請求項３】
上記第１及び第２の部材が、枠形矩形の上記ベゼルをその対角方向に位置する２つのコーナ部で分割することによってＬ字形に形作られ、それぞれの部材の各分割端に、上記突片が配備されている請求項２に記載した液晶モジュール。
【請求項４】
Ｌ字形に形作られた上記第１及び第２の部材のそれぞれのコーナ部に、外側へ突き出た別のビス止め片を追加し、それらが上記枠フレームにビス止めされている請求項３に記載した液晶モジュール。
【請求項５】
互いに重ね合わされてビス止め片を形成している上記突片に、互いに係合して第１部材と第２部材とを直角に突き合わせ、かつ、それらの突片に開設されているビス挿通孔を位置合わせする位置決め手段が設けられている請求項３又は請求項４に記載した液晶モジュール。
【発明の詳細な説明】
【技術分野】
【０００１】
本発明は、液晶モジュール、特に、枠フレームとの間に液晶パネルを挾み込む矩形枠形のベゼルが、そのベゼルの外側に突き出たビス止め片を利用して上記枠フレームにビス止めされている液晶モジュールに関する。
【背景技術】
【０００２】
図５はテレビジョン受像機に用いられる液晶モジュールの基本構成を示した分解斜視図である。同図のように、テレビジョン受像機に用いられる液晶モジュールは、液晶パネル１と、この液晶パネル１の外周に嵌合される矩形枠形のベゼル２と、このベゼル２との間で液晶パネル１を挟持する枠フレーム３と、この枠フレーム３によって囲まれた空間に配備されるバックライト用の線状光源４と、この線状光源４の光を液晶パネル１に向けて反射させる反射シート５と、枠フレーム３との間で反射シート３を挟持する背面板６とを備えているほか、光拡散用のシート７１及びパネル７２、クッションスペーサ７３、中継基板８１，８２などを備えている。そして、ベゼル２はその４つのコーナ部に外側へ突き出たビス止め片２１を備えていて、それらのビス止め片２１が枠フレーム３に止めビス９１を用いてビス止めされる。また、中継基板８１，８２が止めビス９を用いて背面板６の側面にビス止めされる。
【０００３】
このような液晶モジュールにおいて、ベゼル２は、板金の打抜き加工によって製作される。その場合、板金製のワークからベゼル２を図６のように矩形枠形に打ち抜いてしまうと、その打抜き箇所の内側の広い範囲で多くの材料ロスが発生し、ベゼル２を形成するのに要する必要材料のコストに比べて板金製のワークがコスト高になっていた。
【０００４】
そこで、そのような材料ロスの発生を抑えるために、ベゼル２を２つの部材に分割してそれぞれの部材を板金製のワークから打ち抜くということが行われた。このようにすると、２つの部材の打抜きパターンを適切に選択することによって材料ロスの発生を少なく抑えることができ、しかも、図７のように、そのようにして打ち抜いた２つの部材２Ａ，２Ａを矩形枠形に突き合わせてその突合わせ箇所イ、イを溶接で結合しておくと、図５で説明したベゼル２と同様にビス止めによって枠フレーム３に固定することができるようになる。
【０００５】
一方、矩形枠形のベゼルを形成するのに、Ｌ字形の２つの部材を製作して材料ロスを少なくした上で、それら２つの部材を矩形枠形に突き合わせ、その突合わせ箇所を結合することによって当該ベゼルを形成するという提案は、従来より種々行われていて（たとえば、特許文献１〜７参照）、これらはすべて、液晶パネルに嵌合させるのに先立って２つの部材を矩形枠形に結合するというものであった。
【特許文献１】特開２０００−３１４８７２号公報
【特許文献２】特開２００３−３４４８２６号公報
【特許文献３】特開２００２−２３６４８号公報
【特許文献４】特開平４−７３７１４号公報
【特許文献５】特開平１１−１３３４１８号公報
【特許文献６】特開２００２−２４６９１９号公報
【特許文献７】特開２００２−２５８７６９号公報
【発明の開示】
【発明が解決しようとする課題】
【０００６】
しかしながら、板金製ワークから打ち抜いた２つの部材を矩形枠形に結合した後、図５のように、そのベゼル２を液晶パネル１に嵌合させて枠フレーム３にビス止めするという手順で液晶モジュールを製作すると、ベゼル２を枠フレーム３にビス止めする作業のほかに、２つの部材を結合して矩形枠形のベゼル２を製作するという余分な作業を行うことを余儀なくされる。そのため、特許文献１〜７などによって従来より提案されている技術では、ベゼルを打抜き加工するのに用いる板金製ワークの材料ロスを少なく抑えることはできても、打ち抜いた２つの部材を矩形枠形に形作って結合するという余分な作業が必要になり、そのために組立コストが高くつくという問題があった。
【０００７】
本発明は以上の問題に鑑みてなされたものであり、矩形枠形のベゼルを２つの部材に分割し、それぞれの部材を板金製ワークから打ち抜くことにより材料ロスを少なく抑えることを基本とし、それら２つの部材を矩形枠形に結合する作業が、２つの部材を枠フレームにビス止めする作業を行うことによって併せ行われるような対策を講じることによって、材料ロスを抑制することができることによるコストダウン効果と、液晶パネルを枠フレームに取り付けるのに先立って行われていたところの２つの部材を矩形枠形に結合する作業を省略することができることによるコストダウン効果の両方が発揮される液晶モジュールを提供することを目的とする。
【課題を解決するための手段】
【０００８】
本発明に係る液晶モジュールは、液晶パネルと、この液晶パネルの外周に嵌合される矩形枠形のベゼルと、このベゼルとの間で上記液晶パネルを挟持する枠フレームと、この枠フレームによって囲まれた空間に配備されるバックライト用の線状光源と、この線状光源の光を上記液晶パネルに向けて反射させる反射シートと、上記枠フレームとの間で上記反射シートを挟持する背面板とを備え、上記ベゼルに設けられて外側へ突き出たビス止め片と上記枠フレームとがビス止めされてなる。そして、上記ベゼルを第１及び第２の２つの部材に分割すると共に、上記ビス止め片が、第１部材と第２部材とのそれぞれに設けられて互いに重ね合わされた突片でなり、それらの重なり状の突片を上記枠フレームにビス止めすることによって第１及び第２の２つの部材が矩形に枠組みされて枠形矩形の上記ベゼルを形成している。
【０００９】
この構成であると、第１及び第２の２つの部材を液晶パネルの外周に嵌合して矩形枠形に形作った後、第１部材側の突片と第２部材側の突片とを重ね合わせてビス止め片を形成し、そのビス止め片を枠フレームにビス止めするという作業を行うだけで、第１及び第２の２つの部材によって矩形枠形のベゼルが形成され、しかも、そのベゼルと枠フレームとの間で液晶パネルが挟持される。したがって、液晶パネルを枠フレームに取り付ける前に２つの部材を矩形枠形に結合するという余分な作業を省略することが可能になる。
【００１０】
本発明では、上記第１及び第２の部材が、枠形矩形の上記ベゼルをその対角方向に位置する２つのコーナ部で分割することによってＬ字形に形作られ、それぞれの部材の各分割端に、上記突片が配備されているという構成を採用することができ、これによれば、第１部材の入隅箇所に第２部材の出隅箇所を合わせたパターンでそれら２つの部材を板金製ワークから打ち抜くことができるので、打抜きに際して発生する材料ロスを極力少なく抑えることが可能になる。
【００１１】
本発明では、Ｌ字形に形作られた上記第１及び第２の部材のそれぞれのコーナ部に、外側へ突き出た別のビス止め片を追加し、それらが上記枠フレームにビス止めされている、という構成を採用することが可能であり、これによれば、第１及び第２のそれぞれの部材のビス止め箇所を増やして枠フレームに対する結合強度を高めることが可能である。
【００１２】
本発明では、互いに重ね合わされてビス止め片を形成している上記突片に、互いに係合して第１部材と第２部材とを直角に突き合わせ、かつ、それらの突片に開設されているビス挿通孔を位置合わせする位置決め手段が設けられていることが望ましく、これによれば、ビス止め作業性が向上するだけでなく、ビス止め片を枠フレームにビス止めすることを通じて第１及び第２の２つの部材によって構成される矩形枠形のベゼルの形状が安定する。
【００１３】
本発明に係る液晶モジュールは、液晶パネルと、この液晶パネルの外周に嵌合される矩形枠形のベゼルと、このベゼルとの間で上記液晶パネルを挟持する枠フレームと、この枠フレームによって囲まれた空間に配備されるバックライト用の線状光源と、この線状光源の光を上記液晶パネルに向けて反射させる反射シートと、上記枠フレームとの間で上記反射シートを挟持する背面板とを備え、上記ベゼルに設けられて外側へ突き出たビス止め片と上記枠フレームとがビス止めされてなる液晶モジュールにおいて、上記ベゼルを対角方向に位置する２つのコーナ部でＬ字形に形作られた第１及び第２の２つの部材に分割すると共に、それぞれの部材の各分割端に、互いに重ね合わされて上記ビス止め片を形成する突片が備わり、それらの突片に、互いに係合して第１部材と第２部材とを直角に突き合わせ、かつ、それらの突片に開設されているビス挿通孔を位置合わせしている位置決め手段が設けられていると共に、上記第１及び第２の部材のそれぞれのコーナ部に、外側へ突き出た別のビス止め片を追加し、互いに重ね合わされた上記突片によって形成される２箇所の上記ビス止め片を上記枠フレームに止めビスでビス止めすることによって第１及び第２の２つの部材が矩形に枠組みされて枠形矩形の上記ベゼルを形成していると共に、それらの第１及び第２の２つの部材のそれぞれのコーナ部の上記別のビス止め片のそれぞれが、止めビスによって上記枠フレームにビス止めされている、という構成を採用することによっていっそう具体化される。この発明の作用などについては、後述する実施形態を参照して詳細に説明する。
【発明の効果】
【００１４】
以上のように、本発明によれば、矩形枠形のベゼルを２つの部材に分割したために、それらの部材を板金製ワークから打ち抜くことが可能になって、ベゼルを形成する際の材料ロスが少なく抑えられる。その上、２つの部材を矩形枠形に結合してベゼルを構成する作業が、２つの部材を枠フレームにビス止めする作業を行うことによって併せ行われるので、液晶パネルを枠フレームに取り付ける前に２つの部材を矩形枠形に結合するという余分な作業を行うことが不要になる。その結果、材料ロスを抑制することができることによるコストダウン効果と、２つの部材を矩形枠形に結合する単独の作業を省略することができることによるコストダウン効果の両方が発揮されて、液晶モジュールの大幅なコストダウンを図りやすくなるという効果が奏される。
【発明を実施するための最良の形態】
【００１５】
図１は本発明の実施形態に係る液晶モジュールの分解斜視図、図２は第１及び第２の部材２５，２６を示した平面図、図３は２つの部材２５，２６のビス止め箇所を示した分解斜視図、図４は同ビス止め箇所の平面図である。
【００１６】
図１のように、この液晶モジュールの構成は、ベゼル２が第１及び第２の２つの部材２５，２６によって構成される点以外は、図５を参照して説明したものと同様である。すなわち、この液晶モジュールはテレビジョン受像機用であって、液晶パネル１と、この液晶パネル１の外周に嵌合される矩形枠形のベゼル２を形成するための第１及び第２の２つの部材２５，２６と、ベゼル２との間で液晶パネル１を挟持する枠フレーム３と、この枠フレーム３によって囲まれた空間に配備されるバックライト用の線状光源４と、この線状光源４の光を液晶パネル１に向けて反射させる反射シート５と、枠フレーム３との間で反射シート３を挟持する背面板６とを備えているほか、光拡散用のシート７１及びパネル７２、クッションスペーサ７３、中継基板８１，８２などを備えている。
【００１７】
図２のように、第１部材２５及び第２部材２６は、矩形枠形のベゼル２をその対角方向に位置する２つのコーナ部で２分割することによって略対称形状のＬ形に構成されている。そのため、これらの部材２５，２６を板金製ワークから打ち抜くときには、第１部材２５の入隅部に第２部材の出隅部を合わせて打ち抜くというパターンを採用することによって材料ロスを最少限度に抑えることが可能になる。
【００１８】
第１部材２５の一方側の分割端に設けられた突片１１０と第２部材２６の一方側に設けられた突片１２０とが、互いに重ね合わされてビス止め片１００を形成するようになっている。同様に、第１部材２５の他方側の分割端に設けられた突片１２０と第２部材２６の他方側に設けられた突片１１０とが、互いに重ね合わされてビス止め片１００を形成するようになっている。ここで、第１部材２５の一方側の分割端に設けられた突片１１０と第２部材２６の他方側に設けられた突片１１０、及び、第２部材２６の一方側に設けられた突片１２０と第１部材２５の他方側の分割端に設けられた突片１２０とは同一の構成を有している。すなわち、図３のように、一方側の突片１１０が、ビス挿通孔１１２とバーリング加工によって形成された突起１１３とを有しているのに対し、それに重ね合わされる他方側の突片１２０が、ビス挿通孔１２２と上記突起１１３が嵌合される孔部１２３とを備えている。そして、突起１１３と孔部１２３とが位置決め手段を構成していて、２つの突片１１０，１２０を重ね合わせて突起１１３を孔部１２３に嵌合させると、第１部材２５と第２部材２６とが直角に突き合わされ（図４参照）、かつ、それらの突片１１０，１２０に開設されているビス挿通孔１１２，１２２が位置合わせされるようになっている。また、図２のように、第１部材２５のコーナ部や第２部材２６のコーナ部には、外側へ突き出たビス止め片２７，２８が追加されている。
【００１９】
液晶モジュールを組み立てるときには、図１によって類推することができるように、枠フレーム３の上に、光拡散用のパネル７２及びシート７１、クッションスペーサ７３をこの順に積み重ね、その上に液晶パネル１を載置する。次に、液晶パネル１の２つの辺に第１部材２５を被せ、他の２つの辺に第２部材２６を被せると共に、線状光源４を枠フレーム３によって囲まれた空間に配備し、併せて、反射シート５を枠フレーム３と背面板６との間に挾み込む。そして、２本の止めビス９１を、各部材２５，２６の２箇所の分割端で互いに重なり合ってビス止め片１００を形成している２つの突片１１０，１２０のビス挿通孔１１２，１２２と枠フレーム３のボス３１とに挿通させ（図３参照）、背面板６に形成されているフランジ６１のねじ孔６２にねじ込む。このときのビス止め作業により、第１部材２５と第２部材２６とが矩形枠形に形成されてベゼル２が構成され、そのベゼル２が枠フレーム３との間で液晶パネル１を挟持するようになる。したがって、液晶パネル１を枠フレーム３に取り付けるのに先立って、２つの部材２５，２６を矩形枠形に結合するという余分な組立作業を行う必要がなくなり、そのために、２つの部材２５，２６を矩形枠形に結合するための独立した工程が不要になってそれだけ組立コストが低減される。
【００２０】
また、第１部材２５のコーナ部や第２部材２６のコーナ部に追加されているビス止め片２７，２８を、ビス９１によって枠フレーム３に固定すると、第１部材２５のコーナ部や第２部材２６のビス止め箇所が増加するので、それだけ第１及び第２のそれぞれの部材１５，１６の枠フレーム３に対する結合強度が高まる。
【００２１】
この実施形態の液晶モジュールはテレビジョン受像機用であるために、液晶モジュールの周囲にはある程度のスペース的な余裕が確保される。そのため、上記したようにビス止め片１００，２７，２８がベゼル２の外側へ突き出ていても、そのことが液晶モジュールの組付けに支障を来したり、テレビジョン受像機の小形化を阻害するおそれはない。また、この実施形態において、枠フレーム３は樹脂成形体でなる。
【図面の簡単な説明】
【００２２】
【図１】本発明の実施形態に係る液晶モジュールの分解斜視図である。
【図２】第１及び第２の部材を示した平面図である。
【図３】２つの部材のビス止め箇所を示した分解斜視図である。
【図４】同ビス止め箇所の平面図である。
【図５】テレビジョン受像機に用いられる液晶モジュールの基本構成を示した分解斜視図である。
【図６】矩形枠形に打ち抜いたベゼルの平面図である。
【図７】２つの部材を矩形枠形に突き合わせてその突合わせ箇所を溶接で結合することによって構成したベゼルの平面図である。
【符号の説明】
【００２３】
１  液晶パネル
２  ベゼル
３  枠フレーム
４  線状光源
５  反射シート
６  背面板
２５  第１部材
２６  第２部材
２７，２８  別のビス止め片
１００  ビス止め片
１１０，１２０  突片
１１２，１２２  ビス挿通孔
１１３  突起（位置決め手段）
１２３  孔部（位置決め手段）
【図１】
2006350218.tif 000003
【図２】
2006350218.tif 000004
【図３】
2006350218.tif 000005
【図４】
2006350218.tif 000006
【図５】
2006350218.tif 000007
【図６】
2006350218.tif 000008
【図７】
2006350218.tif 000009